(57)【要約】【課題】  多量の排水や雨水を、僅かな費用で、再生できるようにすると共に、取扱簡便で移動、運搬組立及び据付が容易であり、価格が安く、量産に適した小型排水再生装置を提供する。【解決手段】  外部の油水分離槽５０から供給された排水を物置タイプのスチールケース内の排水貯水槽１１、排水撹拌槽３１、排水静置槽３２を経て、水、スラッジ分離装置２１、で第１次再生水とスラッジに分離し、第１次再生水を受水槽１２に、スラッジをスラッジ回収槽１３に導くと共に、受水槽１２の第１次再生水を水濾過槽４３、水脱臭装置３３を経て、第２次再生水として外部の使用水貯水槽６０に供給するもの。【選択図】        図２
2005329277.tif 000002
【特許請求の範囲】
【請求項１】
前面を開くことができるようにした物置タイプのスチールケース１０の床１０１に、排水の貯水槽１１と、第１次再生水を受け入れる受水槽１２と、排水から分離されるスラッジを入れるスラッジ回収槽１３とを設け、前記受水槽１２及び前記スラッジ回収槽１３の上方に水、スラッジ分離装置２１を設け、前記水、スラッジ分離装置２１の上方に排水撹拌槽３１及び排水静置槽３２を設け、前記排水の貯水槽１１の上方に水脱臭装置３３を設け、前記排水撹拌槽３１の上方に排水撹拌槽３１にスラッジ凝集剤を供給する供給装置４１及びオゾンを供給するオゾン供給装置４２を設け、前記水脱臭装置３３の上方に水濾過槽４３を設けてなり、外部の油水分離槽５０から供給された排水を前記排水貯水槽１１、前記排水撹拌槽３１、前記排水静置槽３２を経て、前記水、スラッジ分離装置２１、で第１次再生水とスラッジに分離し、第１次再生水を前記受水槽１２に、スラッジを前記スラッジ回収槽１３に導くと共に、前記受水槽１２の第１次再生水を水濾過槽４３、水脱臭装置３３を経て、第２次再生水として外部の使用水貯水槽６０に供給することを特徴とする小型排水再生装置。
【請求項２】
前記水、スラッジ分離装置２１が、一端が閉口され、他端が開口されると共に、一端閉口側から他端開口側に向けて傾斜された網目穴胴のドラム２１０と、前記ドラム２１０内に挿入された排水供給管２１１と、前記ドラム２１０の上方からドラム胴に散水できるようにした圧力散水装置２１２と、前記ドラム２１０の閉口端に軸支されてドラム２１０を低速回転できるようにした駆動装置２１３とからなり、前記排水供給管２１１からドラム２１０内に流入したスラッジ混合排水を前記ドラム２１０の回転と前記圧力散水装置２１２のドラム散水により、水分をドラム２１０胴の網目穴を介して受水槽１２に、スラッジ分を傾斜したドラム２１０胴からスラッジ回収槽１３の麻袋１３１内に分離できるようにしたことを特徴とする請求項１記載の小型排水再生装置。
【発明の詳細な説明】
【技術分野】
【０００１】
本発明は、水を多量に消費する水利用工業に好適な小型の排水再生装置に関する。
【背景技術】
【０００２】
多量に発生する洗浄水等の排水や雨水を再生水として再び使用できるようにした排水再生装置は、スラッジ、ヘドロその他の夾雑物や臭気を除去し、殺菌すれば、再生水として使用できる場合が多い。しかしながら、従来は、この種の排水再生装置は、建屋などを利用した固定的な設備が多く、そのため、建設費が高くつく欠点があった。そこで、本発明者は、移動可能で、操作及び点検容易な物置タイプのスチールケースに排水再生装置をコンパクトに組み込んで、小面積に据え付けることができるようにすることに成功し、本発明を完成した。
【特許文献１】特開２００１−２１９１８０号公報
【発明の開示】
【発明が解決しようとする課題】
【０００３】
本発明は、多量の排水や雨水を、僅かな費用で、再生できるようにした小型排水再生装置を提供することにある。
また、本発明は、取扱簡便で移動、運搬組立及び据付が容易な小型排水再生装置を提供することにある。
さらに、本発明は、価格が安く、量産に適した小型排水再生装置を提供することにある。
【課題を解決するための手段】
【０００４】
本発明小型排水再生装置は、上記課題を達成するため、図示するように、前面を開くことができるようにした物置タイプのスチールケース１０の床１０１に、排水の貯水槽１１と、第１次再生水を受け入れる受水槽１２と、排水から分離されるスラッジを入れるスラッジ回収槽１３とを設け、前記受水槽１２及び前記スラッジ回収槽１３の上方に水、スラッジ分離装置２１を設け、前記水、スラッジ分離装置２１の上方に排水撹拌槽３１及び排水静置槽３２を設け、前記排水の貯水槽１１の上方に水脱臭装置３３を設け、前記排水撹拌槽３１の上方に排水撹拌槽３１にスラッジ凝集剤を供給する供給装置４１及びオゾンを供給するオゾン供給装置４２を設け、前記水脱臭装置３３の上方に水濾過槽４３を設けてなり、外部の油水分離槽５０から供給された排水を前記排水貯水槽１１、前記排水撹拌槽３１、前記排水静置槽３２を経て、前記水、スラッジ分離装置２１、で第１次再生水とスラッジに分離し、第１次再生水を前記受水槽１２に、スラッジを前記スラッジ回収槽１３に導くと共に、前記受水槽１２の第１次再生水を水濾過槽４３、水脱臭装置３３を経て、第２次再生水として外部の使用水貯水槽６０に供給するものである。
また、本発明小型排水再生装置は、上記課題を達成するため、図示するように、上記発明装置において、前記水、スラッジ分離装置２１が、一端が閉口され、他端が開口されると共に、一端閉口側から他端開口側に向けて傾斜された網目穴胴のドラム２１０と、前記ドラム２１０内に挿入された排水供給管２１１と、前記ドラム２１０の上方からドラム胴に散水できるようにした圧力散水装置２１２と、前記ドラム２１０の閉口端に軸支されてドラム２１０を低速回転できるようにした駆動装置２１３とからなり、前記排水供給管２１１からドラム２１０内に流入したスラッジ混合排水を前記ドラム２１０の回転と前記圧力散水装置２１２のドラム散水により、水分をドラム２１０胴の網目穴を介して受水槽１２に、スラッジ分を傾斜したドラム２１０胴からスラッジ回収槽１３の麻袋１３１内に分離できるようにしたものである。
本発明において、物置タイプのスチールケース１０の前面を開くためには、戸は、観音開き、引戸開き、シャッター開きいずれでもよい。
排水の貯水槽は、排水を排水撹拌槽に供給するため水中電動ポンプなどの揚水手段を備えている。
また、受水槽は、水、スラッジ分離装置から分離された第１次再生水を水濾過槽に供給するため水中電動ポンプなどの揚水手段を備える。
スラッジ回収槽は槽内から容易に取り出しできる麻袋等のスラッジ回収袋を収容している。スラッジ回収槽は公知の他の装置でもよい。
水、スラッジ分離装置は、一端が閉口され、他端が開口されると共に、一端閉口側から他端開口側に向けて傾斜された網目穴胴のドラムと、前記ドラム内に挿入された排水供給管と、前記ドラムの上方からドラム胴に散水できるようにした圧力散水装置と、前記ドラムの閉口端に軸支されてドラムを低速回転できるようにした駆動装置とからなる。後記排水静置槽でフロックを大きく成長させた排水をオーバーフローさせて排水供給管に供給する。前記排水供給管からドラム内に流入した排水を前記ドラムの回転と前記圧力散水装置のドラム散水により、水分をドラム胴の網目穴を介して受水槽に、スラッジ分を傾斜したドラム胴からスラッジ回収槽の麻袋内に分離できるようにしたものである。
排水撹拌槽は、オゾンと共にスラッジ凝集剤が排水に投入されて電動撹拌されるものである。
排水静置槽は、オゾンとスラッジ凝集剤を混入した排水を排水撹拌槽で混合撹拌してオーバーフローさせたものを流入させて静置熟成させフロックを大きく成長させるためのものである。
水脱臭槽は、排水から脱臭するための脱臭フィルターを備えて排水を濾過しながら脱臭するものである。水脱臭槽は活性炭脱臭方式やその他の方式でもよい。
スラッジ凝集剤供給装置は、公知のスラッジ凝集剤を低速回転するスクリユにより一定時間に定量ずつ排水撹拌装置に供給するものである。定量供給方式は他の公知装置でもよい。
オゾン供給装置は、公知の装置を用いてオゾンを排水撹拌装置に入れ排水の殺菌効果を狙ったものである。
水濾過槽は、微細な夾雑物を除去する公知のフィルター方式のものでもよい。
【発明の効果】
【０００５】
本発明装置は、洗浄水等の排水、雨水などを再生するのに、比較的簡単で小型化できる水再生装置で、短時間に連続処理して再び洗浄水等の用途に向けることができる。
また、本発明装置は、小型の物置タイプのケースに収容し移動、据置、点検等が容易で、設置面積も小さいため、洗車場、物品洗い場などの多量に水道水を消費する水利用企業の用途に好適で、その経費を大巾に削減できる。
【発明を実施するための最良の形態】
【０００６】
本発明の排水再生装置は、小型で連続処理ができ、設置面積の小さい物置タイプのスチールケース内に収容されていることを特徴としている。
【実施例】
【０００７】
本発明の実施例が図１乃至図６に示されている。
本発明装置は、スチールケース１０内に、排水貯水槽１１、受水槽１２、スラッジ回収槽１３、水、スラッジ分離装置２１、排水撹拌槽３１、排水静置槽３２、排水脱臭装置３３、スラッジ凝集剤供給装置４１、オゾン供給装置４２、水濾過槽４３及び制御盤を備えている。
スチールケース１０は、観音開き戸１１、１１を設け、前面を全開できるようになっている。ケース１０の大きさは、前面幅２０００ミリメートル、奥行６５０ミリメートル、高さ２３５０ミリメートルに形成された薄鉄板製のもので、公知の薄鉄板製物置を使用することができる。
排水貯水槽１１は、外部に設けた油水分離槽５０から水中電動ポンプ５１を介して排水を貯水できるもので、本発明装置の連続処理のため、大容量のものを必要としない。排水貯水槽１１の排水は、水中電動ポンプ１１１によって排水撹拌槽３１に供給される。
受水槽１２は、水、スラッジ分離装置２１によって分離された第１次再生水を貯水するもので、本発明装置の連続処理のため、大容量のものを必要としない。受水槽１２の第１次再生水は、水中電動ポンプ１２１によって水濾過槽４３に供給される。
スラッジ回収槽１３は、図７及び図８に詳細が示されるように、前開き密封蓋１３０を設けたケース１３１の内側上縁に麻袋１３２上縁を引掛けるフック１３１１を設けると共に底面近くに穴あき板１３１２を設け、またケース底にドレン抜き穴１３１３を設けている。水、スラッジ分離装置２１から分離されたスラッジは、ケース１３１のフック１３１１に上縁を引掛けて穴あき板１３１２に置かれた麻袋１３２に入れられ、水分はドレン穴１３１３から流出できるようにしている。
水、スラッジ分離装置２１は、一端側が閉口され、他端側が開口されて、一端閉口側から他端開口側に向けて傾斜された網目穴胴ドラム２１０と、回転ドラム２１０内に挿入された排水供給管２１１と、前記ドラム２１０の上方からドラム胴に散水できるようにした圧力散水装置２１２と、ドラム２１０の一端閉口端に軸支してドラム２１０を１分間に１２回転程度に低速回転できるようにした駆動装置２１３と外箱２１４からなり、回転ドラム２１０の回転により、分離された第１次再生水は受水槽１２に流入されると共に、分離されたスラッジはスラッジ回収槽内の麻袋１３２に入れられる。
排水撹拌槽３１は、電動機により１分間３６０回程度に回転する撹拌プロペラ３１１が挿入されると共に、槽内にスラッジ凝集剤を一定量ずつ投入できるようにしたスラッジ凝集剤供給装置４１と槽内にオゾンを供給するオゾン供給装置４２とを上方に設けている。
排水静置槽３２は、排水撹拌槽でスラッジ凝集剤とオゾンを混入された排水をオーバーフローさせて流入できるようにし、少なくとも６分間静置してフロックを大きく生成するように熟成させたのち、オーバーフローさせて水、スラッジ分離装置に供給できるようにしたものである。
水脱臭装置３３は、詳細が図６に示されるように、水、スラッジ分離装置２１から分離されて受水槽１２に流入した第１次再生水を水濾過槽４３を経てから脱臭するもので、流入した水は濾過層３３１、脱臭層３３２を３回繰り返して脱臭される。
スラッジ凝集剤供給装置４１は、図３に詳細が示されるように、スラッジ凝集剤粉を収納したタンク４１１と、図外の電動機及び伝動ギヤ装置により１分間２回転程度のスクリユ４１２１の低回転により、排水撹拌槽３１に投入する定量投入装置４１２とを備えている。
オゾン供給装置４２は、公知のオゾナイザーを備え、空気をオゾンに変えて排水撹拌槽３１に供給するものである。
水濾過槽４３は、詳細が図５に示されるように、濾過槽４３１、脱臭槽４３２を設けた３個の濾過筒を通過して水脱臭槽４４に排水を供給するものである。
【産業上の利用可能性】
【０００８】
本発明の小型排水再生装置は、量産されて安価に製作できる。
【図面の簡単な説明】
【０００９】
【図１】本発明実施例のスチールケースの斜視図である。
【図２】図１の内部を説明する説明図である。
【図３】スラッジ凝集剤供給装置の説明図である。
【図４】水、スラッジ分離装置の説明図である。
【図５】水濾過槽の説明図である。
【図６】水脱臭装置の説明図である。
【図７】スラッジ回収槽の説明図である。
【図８】スラッジ回収槽の別の説明図である。
【符号の説明】
【００１０】
１０    スチールケース
１０１  スチールケース床
１１    排水貯水槽
１２    受水槽
１３    スラッジ回収槽
２１    水、スラッジ分離装置
３１    排水撹拌槽
３２    排水静置槽
３３    水脱臭装置
４１    スラッジ凝集剤供給装置
４２    オゾン供給装置
４３    水濾過槽
５０    油水分離槽
６０    使用水貯水槽
【図１】
2005329277.tif 000003
【図２】
2005329277.tif 000004
【図３】
2005329277.tif 000005
【図４】
2005329277.tif 000006
【図５】
2005329277.tif 000007
【図６】
2005329277.tif 000008
【図７】
2005329277.tif 000009
【図８】
2005329277.tif 000010